(57)【特許請求の範囲】
【請求項１】
建物の開口部を形成する内周面のうちの外側部分に固定されたサッシ枠と、前記内周面のうちの内側部分で、前記サッシ枠に隣接するようにして固定され、表面にクロスが設けられる下地材との間に取り付けられて、前記下地材に設けられるクロスのサッシ枠側の端部を見切る見切材であって、
前記サッシ枠と前記下地材との間に固定される固定部と、
該固定部から前記下地材の表面のサッシ枠側の端部を覆うようにして突出する突出部と、
該突出部に設けられて、前記下地材の表面に設けられるクロスのサッシ枠側の端部を、前記突出部とともに覆い、かつ、下地材側に押さえ込む押さえ部とを備え、
前記固定部は、断面略Ｌ字状をなしており、サッシ枠と下地材との間に挟みこまれるとともに下地材に固定される第１固定部と、下地材の内周面に固定される第２固定部とを備え、
前記突出部は、前記第１固定部からサッシ枠側に向けて直線状に傾斜するとともにサッシ枠に当接する当接部と、前記当接部と前記押さえ部との間に設けられた押圧部とを備え、前記固定部が下地材に固定された際に、前記当接部が前記サッシ枠に当接することによって、前記押圧部が前記押さえ部を下地材側に押圧し、前記第２固定部と前記押さえ部との間に挿入されたクロスが押さえ込まれることを特徴とする見切材。
【請求項２】
請求項１記載の見切材において、
前記押さえ部の下地材側の端部には、前記下地材に設けられるクロスの後方からサッシ枠側に向かって、前記下地材の表面に漸次接近する傾斜部が形成されていることを特徴とする見切材。
【請求項３】
建物の開口部を形成する内周面のうちの外側部分に固定されたサッシ枠と、前記内周面のうちの内側部分で、前記サッシ枠に隣接するようにして固定された下地材との間に、請求項１又は２に記載の見切材が取り付けられてなる見切材の取付構造であって、
前記下地材の表面にクロスが設けられており、
前記サッシ枠と前記下地材との間に、前記見切材の固定部のうち第１固定部が挟み込まれるとともに前記下地材に固定され、第２固定部が前記下地材の内周面に固定され、
前記固定部から前記下地材のサッシ枠側の端部を覆うようにして、突出部が突出しており、
前記下地材の表面に設けられたクロスのサッシ枠側の端部が、前記突出部及び押さえ部によって覆われるとともに、前記突出部の当接部が前記サッシ枠に当接することによって、押圧部が前記押さえ部を下地材側に押圧し、前記第２固定部と前記押さえ部との間に挿入されたクロスが押さえ込まれていることを特徴とする見切材の取付構造。
【発明の詳細な説明】
【０００１】
【発明の属する技術分野】
本発明は、建物の開口部を形成する内周面のうちの外側部分に固定されたサッシ枠と、内側部分に固定された下地材との間に取り付けられて、前記下地材に設けられるクロスのサッシ枠側の端部を見切る見切材および見切材の取付構造に関するものである。
【０００２】
【背景の技術】
例えば、特開平１１−３２４５０２号公報の「サッシュ見切り部材」に記載されているように、建物躯体の開口部の室外側には、窓枠がはめ込まれるサッシュ枠が固定されており、開口部の室内側には下地材が取り付けられている。そして、この下地材上に、サッシュ枠と当接するようにしてサッシュ見切り部材が固定されている。このサッシュ見切り部材は、下地材に固定されるベース部材と、このベース部材を覆う見切り部材とを備えており、見切り部材の、室内側を向く面には窪みが形成されている。
また、開口部を形成する壁の内壁面にはプラスターボードが貼られ、このプラスターボードおよび下地材の表面にはクロスが貼り付けられている。そして、このクロスのサッシュ枠側の端縁が、前記見切り部材の窪み内に納められており、これによって、外側からその端縁が隠されて見えないようにされている。
【０００３】
【発明が解決しようとする課題】
ところで、前記特開平１１−３２４５０２号公報では、前記クロスの端縁は、前記見切り部材によって隠されているが、クロスの端縁が見切り部材の窪み内に納められているだけであるので、例えば、窓が結露し、その水分がクロスに伝わった場合に剥離しやすく、クロスを下地材の表面に確実かつ強固に固定することが望まれている。
また、前記サッシュ見切り部材は、ベース部材と見切り部材とを備えており、ベース部材を前記下地材に固定したうえで、このベース部材に見切り部材を嵌合することによって取り付けており、ベース部材と下地材とは両面テープおよびネジによって取り付けているので、その作業が煩雑であり、また、部品点数も多く施工に時間がかかった。
【０００４】
本発明は、上記事情に鑑みてなされたもので、クロスを下地材に確実かつ強固に取り付けることができ、また、その施工も容易となる見切材および見切材の取付構造を提供することを課題としている。
【０００５】
【課題を解決するための手段】
上記課題を解決するために、請求項１の発明は、例えば、図１(a),(b)に示すように、建物２の開口部３を形成する内周面４のうちの外側部分に固定されたサッシ枠５と、前記内周面４のうちの内側部分で、前記サッシ枠５に隣接するようにして固定され、表面にクロス７が設けられる下地材６との間に取り付けられて、前記下地材６に設けられるクロス７のサッシ枠５側の端部を見切る見切材２１であって、
前記サッシ枠５と前記下地材６との間に固定される固定部２２と、
該固定部２２から前記下地材６の表面のサッシ枠５側の端部を覆うようにして突出する突出部２３と、
該突出部２３に設けられて、前記下地材６の表面に設けられるクロス７のサッシ枠５側の端部を、前記突出部２３とともに覆い、かつ、下地材６側に押さえ込む押さえ部２４とを備え、
前記固定部２２は、断面略Ｌ字状をなしており、サッシ枠５と下地材６との間に挟みこまれるとともに下地材６に固定される第１固定部２５と、下地材６の内周面に固定される第２固定部２６とを備え、
前記突出部２３は、前記第１固定部２５からサッシ枠５側に向けて直線状に傾斜するとともにサッシ枠５に当接する当接部２７と、前記当接部２７と前記押さえ部２４との間に設けられた押圧部２８とを備え、前記固定部２２が下地材６に固定された際に、前記当接部２７が前記サッシ枠５に当接することによって、前記押圧部２８が前記押さえ部２４を下地材６側に押圧し、前記第２固定部２６と前記押さえ部２４との間に挿入されたクロス７が押さえ込まれることを特徴とする。
【０００６】
請求項１の発明によれば、前記固定部２２と突出部２３と押さえ部２４とを備えているので、前記固定部２２が、サッシ枠５と下地材６との間に固定され、前記突出部２３および前記押さえ部２４が、前記下地材６のサッシ枠５側の端部を覆うとともに、このクロス７のサッシ枠５側の端部が前記押さえ部２４によって下地材６側に押さえ込まれる。したがって、従来のように、見切り部材に形成された窪み内にクロスの端部が納められている場合に比して、下地材６の表面にクロス７を確実かつ強固に取り付けることができるとともに、クロス７の端部が外側から見えることなく外観に優れる。
また、従来に比して、複数の部品を取り付けることなく、前記固定部２２を、サッシ枠５と下地材６との間に固定することによって、容易に取り付けることができ、よって、施工の短縮化およびコストの削減にもつながる。
さらに、前記固定部２２が下地材６に固定された際に、前記突出部２３がサッシ枠５に当接することによって、前記押さえ部２４を下地材６側に押圧するので、この押圧された押さえ部２４によって、クロス７のサッシ枠５側の端部を下地材６側に強く押さえ込むことができる。したがって、この点においても、より一層確実かつ強固に下地材６にクロス７を固定することができる。
また、サッシ枠５と下地材６との間の隙間が、現場によって異なる場合でも、前記突出部２３が、サッシ枠５に当接し、押さえ部２４を下地材６側に押圧することによって取り付けられるので、サッシ枠５と下地材６との間に隙間が生じることがなく、水密性や気密性の点においても優れる。
【０００７】
前記建物２には、例えば、パネル工法で使用する壁パネル２a等が挙げられる。
前記見切材１は、例えば、可撓性を有する樹脂等で形成されていることが望ましい。
【０００８】
請求項２の発明は、例えば、図３に示すように、請求項１記載の見切材３１において、
前記押さえ部３４の下地材６側の端部には、前記下地材６に設けられるクロス７の後方からサッシ枠５側に向かって、前記下地材６の表面に漸次接近する傾斜部３９が形成されていることを特徴とする。
【０００９】
請求項２の発明によれば、前記押さえ部３４の下地材６側の端部には、前記クロス７の後方からサッシ枠８側に向かって、前記下地材６の表面に漸次接近する傾斜部３９が形成されているので、この傾斜部３９に沿って、クロス７の端部を下地材６と押さえ部３４との間に差し込むことによって、前記押さえ部３４の下地材６側の端部に引っかかることなく、スムーズにクロス７を下地材６と押さえ部３４との間に差し込むことができる。
【００１０】
請求項３の発明は、例えば、図１(a),(b)に示すように、建物２の開口部３を形成する内周面４のうちの外側部分に固定されたサッシ枠５と、前記内周面４のうちの内側部分で、前記サッシ枠５に隣接するようにして固定された下地材６との間に、請求項１又は２に記載の見切材２１が取り付けられてなる見切材２１の取付構造であって、
前記下地材６の表面にクロス７が設けられており、
前記サッシ枠５と前記下地材６との間に、前記見切材２１の固定部２２のうち第１固定部２５が挟み込まれるとともに前記下地材６に固定され、第２固定部２６が前記下地材６の内周面に固定され、
前記固定部２２から前記下地材６のサッシ枠５側の端部を覆うようにして、突出部２３が突出しており、
前記下地材６の表面に設けられたクロス７のサッシ枠５側の端部が、前記突出部２３及び押さえ部２４によって覆われるとともに、前記突出部２３の当接部２７が前記サッシ枠５に当接することによって、押圧部２８が前記押さえ部２４を下地材６側に押圧し、前記第２固定部２６と前記押さえ部２４との間に挿入されたクロス７が押さえ込まれていることを特徴とする。
【００１１】
請求項３の発明によれば、前記下地材６の表面にクロス７が設けられており、前記サッシ枠５と前記下地材６との間に、前記見切材２１の固定部２２が固定され、この固定部２２から下地材６のサッシ枠５側の端部を覆うようにして、突出部２３が突出しており、前記クロス７のサッシ枠５側の端部が、前記突出部２３および押さえ部２４によって覆われるとともに、前記押さえ部２４によって下地材６側に押さえ込まれているので、従来のように、見切り部材に形成された窪み内にクロスの端部が納められている場合に比して、下地材６の表面にクロス７が確実かつ強固に取り付けられた構造とすることができるとともに、クロス７の端部が外側から見えることなく外観に優れる。
また、従来に比して、複数の部品を取り付けることなく、前記固定部２２を、サッシ枠５と下地材６との間に固定することによって、容易に取り付けることができ、よって、施工の短縮化およびコストの削減にもつながる。
【００１２】
【発明の実施の形態】
以下、本発明の第１〜第２の実施の形態を図面に基づいて説明する。
図１(a)は、本発明の第１の実施の形態の見切材の断面図、図１(b)は、見切材の取付構造を示す断面図である。
図１(a),(b)に示すように、本発明の第１の実施の形態の見切材２１は、建物２の開口部３を形成する内周面４のうちの外側部分に固定されたサッシ枠５と、前記内周面４のうちの内側部分で、サッシ枠５に隣接するようにして固定された下地材６との間に取り付けられて、下地材６の表面に設けられるクロス７を見切るものである。
【００１３】
前記建物２は、壁パネル２aにより構成されたものである。この壁パネル２aは、パネル工法により構築される住宅の壁面をなすもので、縦横の框材を矩形状に組み立てるとともに、矩形枠の内部に補助桟材を縦横に組み付け、框材と補助桟材との両面に面材が貼り付けられたものである。
また、周知のように、パネル工法とは、壁や床、屋根といった構成要素を予め工場にてパネル化しておき、住宅の施工現場でこれらのパネルを組み立てる工法のことで、住宅の施工工法の一つである。そして、このような壁パネル２aが複数設置されることによって、開口部３が形成されている。
【００１４】
前記見切材２１は、サッシ枠５と下地材６との間に挟み込まれることによって固定される固定部２２と、該固定部８から下地材６の表面のサッシ枠５側の端部を覆うようにして突出する突出部２３と、該突出部２３に設けられて、下地材６の表面に設けられるクロス７のサッシ枠５側の端部を、突出部２３とともに覆い、かつ、下地材６側に押さえ込む押さえ部２４とを備えている。
前記固定部２２と突出部２３と押さえ部２４とは、可撓性を有する材料、例えば、合成樹脂等で一体成形されている。
【００１５】
前記固定部２２は、断面略Ｌ字状をなしており、サッシ枠５と下地材６との間に挟み込まれるとともに下地材６に固定される第１固定部２５と、下地材６の内周面に固定される第２固定部２６とを備えている。前記第２固定部２６の先端部は、下地材６の表面に向けて直線状に傾斜している。
【００１６】
前記突出部２３は、固定部２２からサッシ枠５側に向けて直線状に傾斜するとともにサッシ枠５に当接する当接部２７と、この当接部２７と前記押さえ部２４との間に設けられた押圧部２８とを備えている。つまり、固定部２２が下地材６に固定された際に、サッシ枠５に前記当接部２７が当接することによって、押圧部２８が押さえ部２４を下地材６側に押圧するようになっている。
【００１７】
また、前記押さえ部２４は、前記押圧部２８の先端部に該押圧部２８と直交する方向に設けられている。この押さえ部２４の下地材６側の端部は、下地材６の表面に設けられるクロス７の端縁から後方に向かって、下地材６の表面に漸次接近するように直線状に傾斜している。このように押さえ部２４の下地材６側の端部を傾斜させることによって、外側から見た際の納まりが良く、見栄えに優れる。
さらに、この押さえ部２４は、前記第２固定部２６の先端部よりもサッシ枠５側に位置しており、第２固定部２６の方が外側に延出している。
【００１８】
次に、本発明の第１の実施の形態の見切材２１を前記サッシ枠５と下地材６との間に取り付けられてなる見切材２１の取付構造について説明する。
図１(a),(b)に示すように、建物２（壁パネル２a）の開口部３を形成する内周面４のうちの外側部分に、サッシ枠５がネジ１３，１３を介して２カ所で固定されている。つまり、サッシ枠５は、前記内周面４および建物２の外壁面に取り付けられる取付部１４a,１４bをそれぞれ備えており、これら取付部１４a,１４bからネジ１３，１３がそれぞれねじ込まれることによって固定されている。
また、２つの取付部１４a，１４bの間には、内周面４から開口部３側に延出する延出部１５が設けられており、この延出部１５は、後述するが、見切材２１の固定部２２が当接するようになっている。
【００１９】
また、前記内周面４のうちの内側部分で、サッシ枠５に隣接するようにして下地材６が取り付けられている。
前記下地材６は、長尺な板状部材であって、サッシ枠５側の端部に形成されて、前記見切材２１の固定部２２に当接する凸部１６と、この凸部１６によって形成される凹部１７とを備えている。そして、下地材６は、この凹部１７がサッシ枠５の取付部１４aおよびネジ１３を覆うようにして、内周面４の内側部分に取り付けられている。
【００２０】
前記壁パネル２aの内壁面には、内装材１８が取り付けられており、この内装材１８と下地材６との表面には、これら内装材１８および下地材６に連続してクロス７が貼り付けられている。また、壁パネル２aの外壁面には、図示しないが、サイディングが取り付けられている。
【００２１】
一方、サッシ枠５と下地材６との間には、見切材２１が取り付けられている。つまり、サッシ枠５の延出部１５と下地材６の凸部１６との間に、前記第１固定部２５が挟み込まれて、下地材６に固定されるとともに、第２固定部２６が下地材６の凸部１６の内周面に固定されている。
そして、この固定部２２から下地材６のサッシ枠５側の端部を覆うようにして、突出部２３が突出している。すなわち、突出部２３の当接部２７がサッシ枠５に当接することによって、押圧部２８が押さえ部２４を下地材６側に押圧しており、この押さえ部２３４が、下地材６の表面に設けられたクロス７のサッシ枠５側の端部を下地材６側に押さえ込んでいる。また、このクロス７のサッシ枠５側の端部は、突出部２３および押さえ部２４によって覆われている。
【００２２】
また、前記見切材２１は、例えば、次のようにしてサッシ枠５と下地材６との間に取り付けられる。
まず、壁パネル２aの開口部３を形成する内周面４のうちの外側部分に、サッシ枠５を予め工場等で取り付けておき、このサッシ枠５が取り付けられた壁パネル２aを現場に運搬し設置する。
次いで、サッシ枠５の前記延出部１５に、見切材２１の固定部２２のサッシ枠５側の面に設けられた両面テープを貼り付けることによって、サッシ枠５に見切材２１を固定する。
【００２３】
そして、下地材６を、内周面４のうちの内側部分に、下地材６の凹部１７がサッシ枠５の取付部１４aおよびネジ１３を覆うようにして取り付けるとともに、凸部１６を見切材２１の固定部２２に当接させることによって、固定部２２をサッシ枠５と下地材６との間に挟み込む。
また、壁パネル２aの内壁面４に内装材１８を取り付けた後に、内装材１８および下地材６の表面に、クロス７を貼り付けていき、クロス７のサッシ枠５側の端部を、下地材６の表面と見切材２１の突出部２３および押さえ部２４との間に差し込む。
【００２４】
本発明の第１の実施の形態の見切材１によれば、前記固定部２２と突出部２３と押さえ部２４とを備えているので、固定部２２が、サッシ枠５と下地材６との間に固定され、突出部２３および押さえ部２４が、下地材６のサッシ枠５側の端部を覆うとともに、このクロス７のサッシ枠５側の端部が押さえ部２４によって下地材６側に押さえ込まれる。したがって、従来に比して、下地材６の表面にクロス７を確実かつ強固に取り付けることができるとともに、クロス７の端部が外側から見えることなく外観に優れる。
また、前記固定部２２と突出部２３と押さえ部２４とが可撓性を有する材料で一体成形されているので、従来に比して、複数の部品を取り付けることなく、固定部２２を、サッシ枠５と下地材６との間に固定することによって、容易に取り付けることができ、よって、施工の短縮化およびコストの削減にもつながる。
【００２５】
また、前記固定部２２と突出部２３と押さえ部２４とを備え、固定部２２が下地材６に固定された際に、突出部２３の当接部２７がサッシ枠５に当接することによって、押さえ部２４を下地材６側に押圧するので、この押圧された押さえ部２４によって、クロス７のサッシ枠５側の端部を下地材６側に強く押さえ込むことができる。したがって、この点においても、より一層確実かつ強固に下地材６にクロス７を固定することができる。
また、サッシ枠５と下地材６との間の隙間が、現場によって異なる場合でも、突出部３３が、サッシ枠５に当接し、押さえ部３４を下地材６側に押圧することによって取り付けられるので、サッシ枠５と下地材６との間に隙間が生じることがなく、水密性や気密性の点においても優れる。
さらに、例えば、壁パネル２aの内周面４にサッシ枠５と下地材６とをそれぞれ取り付けた後でも、前記見切材２１をこれらサッシ枠５と下地材６との間の隙間に容易に挿入して取り付けることができる。
【００２６】
なお、本発明の第１の実施の形態の見切材２１において、前記押さえ部２４は、第２固定部２６の先端部よりもサッシ枠５側に位置しているとしたが、例えば、図２(a),(b)に示すように、押さえ部２４aが、第２固定部２６aの先端部よりも外側に位置するように形成された見切材２１aとしても良い。
このように形成した場合は、当接部２７aから第１固定部２５aまでの長さＢが、前記見切材２１の当接部２７から第１固定部２５までの長さＡに比して、短くなるので、例えば、サッシ枠５と下地材６との間の隙間が短い場合に使用される。また、前記見切材２１に比して、第２固定部２６aが押さえ部２４aおよび突出部２３aによって覆われることとなり、外側から見た際の見栄えが良い。
【００２７】
また、前記見切材２１において、押さえ部２４の下地材６側の端部は、下地材６の表面に設けられるクロス７の端縁から後方に向かって、下地材６の表面に漸次接近するように滑らかに傾斜しているとしたが、前記押さえ部２４の端部に、クロス７の後方からサッシ枠５側に向かって、下地材６の表面に漸次接近する傾斜部を形成するようにしても良い。これによって、押さえ部２４の下地材６側の端部に引っかかることなく、スムーズにクロス７を下地材６と押さえ部２４との間に差し込むことができる。
【００２８】
次に、本発明の第２の実施の形態の見切材について説明する。
図３(a)は、本発明の第２の実施の形態の見切材の断面図、図３(b)は、見切材の取付構造を示す断面図である。
本発明の第２の実施の形態の見切材３１は、図３(a),(b)に示すように、第１の実施の形態と同様に、固定部３２と突出部３３と押さえ部３４とを備えている。
なお、第２の実施の形態に係るサッシ枠５および下地材６は、第１の実施の形態と同様のものであるので、同様の符号を付してその説明は省略する。
前記固定部３２と突出部３３と押さえ部３４とは、可撓性を有する材料、例えば、合成樹脂等で一体成形されている。
【００２９】
前記固定部３２は、断面略Ｌ字状をなしており、サッシ枠５と下地材６との間に挟み込まれるとともに下地材６に固定される第３固定部３５と、下地材６の内周面に固定される第４固定部３６とを備えている。また、この第４固定部３６の先端部は、下地材６の表面に向けて直線状に傾斜している。
【００３０】
前記突出部３３は、固定部３２からサッシ枠５側に向けて円弧状に滑らかに傾斜して設けられ、サッシ枠５に当接する当接部３７と、この当接部３７と押さえ部３４との間に設けられた押圧部３８とを備えている。つまり、固定部３２が下地材６に固定された際に、サッシ枠５に前記当接部３７が当接することによって、押圧部３８が押さえ部３４を下地材６側に押圧するようになっている。
【００３１】
また、前記押さえ部３４は、前記押圧部３８の先端部に該押圧部３８と直交する方向に設けられている。この押さえ部３４の下地材６側の端部には、下地材６の表面に設けられるクロス７の後方からサッシ枠５側に向かって、下地材６の表面に漸次接近する傾斜部３９が形成されている。この傾斜部３９は、直線状に傾斜している。
さらに、この押さえ部３４は、前記第４固定部３６の先端部よりもサッシ枠５側に位置しており、第４固定部３６の方が外側に延出している。
【００３２】
次に、本発明の第２の実施の形態の見切材３１を前記サッシ枠５と下地材６との間に取り付けられてなる見切材３１の取付構造について説明する。
図３(a),(b)に示すように、第１の実施の形態と同様にして、建物２（壁パネル２a）の開口部３を形成する内周面４のうちの外側部分に、サッシ枠５が、取付部１４a,１４bからネジ１３，１３がそれぞれねじ込まれることによって固定されている。
また、下地材６は、該下地材６の凹部１７がサッシ枠５の取付部１４aおよびネジ１３を覆うようにして、内周面４のうちの内側部分に取り付けられている。
【００３３】
前記壁パネル２aの内壁面には、内装材１８が取り付けられており、この内装材１８と下地材６との表面には、これら内装材１８および下地材６に連続してクロス７が貼り付けられている。また、壁パネル２aの外壁面には、図示しないが、サイディングが取り付けられている。
【００３４】
一方、サッシ枠５と下地材６との間には、見切材３１が取り付けられている。つまり、サッシ枠５の延出部１５と下地材６の凸部１６との間に、前記第１固定部３５が挟み込まれて、下地材６に固定されるとともに、第２固定部３６が下地材６の凸部１６の内周面に固定されている。
また、この固定部３２から下地材６のサッシ枠５側の端部を覆うようにして、突出部３３が突出している。すなわち、突出部３３の当接部３７がサッシ枠５に当接することによって、押圧部３８が押さえ部３４を下地材６側に押圧しており、この押さえ部３５が、下地材６の表面に設けられたクロス７のサッシ枠５側の端部を下地材６側に押さえ込んでいる。また、クロス７のサッシ枠５側の端部は、突出部３３および押さえ部３４によって覆われている。
【００３５】
本発明の第２の実施の形態の見切材３１によれば、第１の実施の形態の見切材２１と同様の構成部分については、同様の効果を得ることができるので、その説明は省略する。
【００３６】
なお、本発明の第１および第２の実施の形態において、見切材２１，３１は、例えば、固定部２２，３２の下地材６，６側の面に、両面テープを貼り付けたり、接着剤を塗布することによって、固定しても良い。
【００３７】
また、本発明の第１および第２の実施の形態における見切材２１，３１を、サッシ枠５と下地材６との間に取り付ける取付方法は、例えば、壁パネル２aにサッシ枠５を取り付けておき、下地材６の凸部１６に固定部２２，３２を固定して見切材２１，３１を取り付けておく。そして、この見切材２１，３１が取り付けられた下地材６を、見切材２１，３１の当接部２７，３７が、サッシ枠５の延出部１５に当接するようにして、内周面４の内側部分に取り付けるようにすると良い。
さらに、この他にも、壁パネル２aの内周面４にサッシ枠５と下地材６とを取り付けておき、サッシ枠５の延出部１５と下地材６の凸部１６との間に、見切材２１，３１の固定部２２，３２を挿入させることによって取り付けても良い。
【００３８】
【発明の効果】
請求項１の発明によれば、前記クロスのサッシ枠側の端部が、前記押さえ部により下地材側に押さえ込まれることによって、従来に比して、下地材の表面にクロスを確実かつ強固に取り付けることができるとともに、クロスの端部が外側から見えることなく外観に優れる。
また、前記固定部を、サッシ枠と下地材との間に固定することによって、容易に取り付けることができ、よって、施工の短縮化およびコストの削減にもつながる。
押圧された前記押さえ部によって、クロスのサッシ枠側の端部を下地材側に強く押さえ込むことができる。したがって、この点においても、より一層確実かつ強固に下地材にクロスを固定することができる。
また、サッシ枠と下地材との間に隙間が生じることなく取り付けることが可能
となる。
【００３９】
請求項２の発明によれば、請求項１と同様の効果を得ることができるのは勿論のこと、前記クロスを、前記押さえ部の下地材側の端部に引っかかることなく、スムーズに下地材と押さえ部との間に差し込むことができる。
【００４０】
請求項３の発明によれば、前記クロスのサッシ枠側の端部が、前記押さえ部により下地材側に押さえ込まれることによって、従来に比して、下地材の表面にクロスが確実かつ強固に取り付けられた構造とすることができるとともに、クロスの端部が外側から見えることなく外観に優れる。
また、前記固定部を、サッシ枠と下地材との間に固定することによって、容易に取り付けることができ、よって、施工の短縮化およびコストの削減にもつながる。
【図面の簡単な説明】
【図１】  本発明の第１の実施の形態を示すためのもので、(a)は、見切材の断面図、(b)は、見切材の取付構造を示す断面図である。
【図２】  同、(a)は、見切材の断面図、(b)は、見切材の取付構造を示す断面図である。
【図３】  本発明の第２の実施の形態を示すためのもので、(a)は、見切材の断面図、(b)は、見切材の取付構造を示す断面図である。
【符号の説明】
２１，３１  見切材
２  建物
３  開口部
４  内周面
５  サッシ枠
６  下地材
７  クロス
２２，３２  固定部
２３，３３  突出部
２４，３４  押さえ部
３９  傾斜部
【図１】
0003930749.tif 000002
【図２】
0003930749.tif 000003
【図３】
0003930749.tif 000004